(57)【特許請求の範囲】
【請求項１】
第１の制御装置及び第１の無線装置を有する第１の基地局システムと、第２の制御装置及び第２の無線装置とを有する第２の基地局システムとに接続される信号分配装置であって、
前記第１の無線装置がアンテナにて外部端末から受信した信号を、前記第１の無線装置から入力する信号入力手段と、
前記信号入力手段により入力された信号を、予め設定された前記第１の基地局システムで使用される第１の周波数及び前記第２の基地局システムで使用される第２の周波数に基づいて、前記第１の基地局システム用の信号と、前記第２の基地局システム用の信号とに分離する信号分離手段と、
前記信号分離手段により分離された前記第１の基地局システム用の信号を、前記第１の制御装置へ出力する第１の信号出力手段と、
前記信号分離手段により分離された前記第２の基地局システム用の信号を、前記第２の無線装置の処理を介して前記第２の制御装置へ出力する第２の信号出力手段と、
を備えることを特徴とする信号分配装置。
【請求項２】
前記信号分離手段により分離された前記第１の基地局システム用の信号に対して、ダミー信号を付加してインターフェースに沿ったフォーマットに変換するフォーマット手段を備えることを特徴とする請求項１記載の信号分配装置。
【請求項３】
前記信号分離手段により分離された前記第２の基地局システム用の信号を、予め設定された前記第２の基地局システムで使用される第２の周波数に基づいて変調する変調手段を備えることを特徴とする請求項１又は２記載の信号分配装置。
【請求項４】
光回線を用いて前記第１の無線装置と接続されることを特徴とする請求項１から３のいずれか１項に記載の信号分配装置。
【請求項５】
光ケーブルを用いて前記第１の制御装置と接続されることを特徴とする請求項１から４のいずれか１項に記載の信号分配装置。
【請求項６】
同軸ケーブルを用いて前記第２の無線装置と接続されることを特徴とする請求項１から５のいずれか１項に記載の信号分配装置。
【請求項７】
請求項１から６のいずれか１項に記載の信号分配装置と接続されることを特徴する無線装置。
【請求項８】
光回線により前記信号分配装置と接続され、
外部端末から信号を受信するアンテナ手段を有し、
前記アンテナ手段から受信した信号を処理し、処理した信号を前記光回線を介して前記信号分配装置へ送信することを特徴とする請求項７記載の無線装置。
【請求項９】
同軸ケーブルにより前記信号分配装置と接続され、
前記信号分配装置で処理された信号を前記同軸ケーブルを介して受信することを特徴とする請求項７記載の無線装置。
【請求項１０】
請求項１から６のいずれか１項に記載の信号分配装置と、
請求項７から９のいずれか１項に記載の無線装置と、
を備えることを特徴とする通信システム。
【発明の詳細な説明】
【技術分野】
【０００１】
本発明は、移動体通信端末等と通信を行う通信システムに関し、異なる基地局システムをオーバーレイするための信号分配装置、無線装置及び通信システムに関する。
【背景技術】
【０００２】
図４は、本発明に関連する移動通信システムの一例である。一般的に、不感地対策の為、多くの場所に基地局システム（基地局装置）の設置が求められている。しかし、基地局システムの設置条件は厳しく、屋外や小スペース化が課題となっている。その為、基地局システムにおいて、制御部（基地局制御装置）と無線部（基地局無線装置。張り出し無線装置）とを分ける構成が採用されている。図４では、基地局制御装置３と、張り出し無線装置１０とを基地局システムＡとする。このような構成の基地局システムＡを設置する場合、屋外や小スペースには、アンテナを備えた張り出し無線装置１０が置かれる。一方、基地局制御装置３は、比較的設置条件に自由度がある場所に設置されることが多い。この張り出し無線装置１０と基地局制御装置３の間は、数ｋｍ単位で離されることが多く、インターフェースにはロスの少ない光回線１００を使用していることが多い。この為、例えば、基地局システムＡから別の基地局システムＢ（基地局制御装置４と張り出し無線装置３０）への移行期などにおいて、異なる基地局システムＡ、Ｂを同じセル範囲で運用（オーバーレイ）する場合、張り出し無線装置３０を張り出し無線装置１０と同じ場所に設置する必要があった。つまり、このような場合において、設置スペースの関係で２つ以上の張り出し装置を設置することが難しいという問題が生じる。また、アンテナや光回線を新たに用意する必要があるという問題もある。なお、上記システム移行期の具体例としては、３ＧのシステムからＬＴＥシステムへの移行期等が想定される。
【０００３】
上記問題を解決するために、下記のように、異なる基地局システムを共用してオーバーレイを実施する方法がある。
【０００４】
第１の例として、２つの異なる基地局システムの間でアンテナを共有することにより、アンテナの投資コストを抑える方法がある。この方法では、図５に示すように、アンテナ部５と張り出し無線装置１０、３０との間に、アンプと分配器を具備したアンプ分配装置６を備えるようにする。そして、それぞれの張り出し装置１０、３０に対して、アンテナ部５で受信した信号を入力する。
【０００５】
第２の例として、２つの異なる基地局システムの間を、光ケーブル等を用いてカスケードに接続することにより、光回線のランニングコストを抑える方法がある。この方法では、図６に示すように、張り出し無線装置１０、３０同士のインターフェースを光ケーブル１０４でカスケードに接続する。また、基地局制御装置３、４同士のインターフェースを光ケーブル１０５でカスケードに接続する。特許文献１に示すシステムもこの方法に近い。
【特許文献１】特開平１１−２３４７２４号公報
【発明の開示】
【発明が解決しようとする課題】
【０００６】
しかしながら、上記第１の例の方法では、アンプ分配装置６の追加設置と、２つの張り出し装置１０、３０の設置とを行わなくてはいけないという設置の問題があった。一方、上記第２の例の方法では、どちらかの基地局システムにカスケード接続の処理を行う機能を具備する必要があり、汎用の装置同士を接続することができないというデメリットがあった。また、この方法では、伝送路の共有はできるが、アンテナの共有はできない。
【０００７】
以上説明したように、上記第１の例では、アンテナの二重化（共有）で投資コストがかかってしまい、上記第２の例では、インターフェースの二重化（共有）でランニングコストがかかってしまうという問題があった。
【０００８】
本発明は、上記事情に鑑みてなされたものであり、異なる基地局システムをオーバーレイする場合において、アンテナとインターフェースを共用でき、投資コストとランニングコストを軽減することができる信号分配装置、無線装置及び通信システムを提供することを目的とする。
【課題を解決するための手段】
【０００９】
かかる目的を達成するために、本発明の信号分配装置は、第１の制御装置及び第１の無線装置を有する第１の基地局システムと、第２の制御装置及び第２の無線装置とを有する第２の基地局システムとに接続される信号分配装置であって、第１の無線装置がアンテナにて外部端末から受信した信号を、第１の無線装置から入力する信号入力手段と、信号入力手段により入力された信号を、予め設定された第１の基地局システムで使用される第１の周波数及び第２の基地局システムで使用される第２の周波数に基づいて、第１の基地局システム用の信号と、第２の基地局システム用の信号とに分離する信号分離手段と、信号分離手段により分離された第１の基地局システム用の信号を、第１の制御装置へ出力する第１の信号出力手段と、信号分離手段により分離された第２の基地局システム用の信号を、第２の無線装置の処理を介して第２の制御装置へ出力する第２の信号出力手段と、を備えることを特徴とする。
【００１０】
また、本発明の信号分配装置において、信号分離手段により分離された第１の基地局システム用の信号に対して、ダミー信号を付加してインターフェースに沿ったフォーマットに変換するフォーマット手段を備えるようにしてもよい。
【００１１】
また、本発明の信号分配装置において、信号分離手段により分離された第２の基地局システム用の信号を、予め設定された第２の基地局システムで使用される第２の周波数に基づいて変調する変調手段を備えるようにしてもよい。
【００１２】
また、本発明の信号分配装置において、光回線を用いて第１の無線装置と接続されるようにしてもよい。
【００１３】
また、本発明の信号分配装置において、光ケーブルを用いて第１の制御装置と接続されるようにしてもよい。
【００１４】
また、本発明の信号分配装置において、同軸ケーブルを用いて第２の無線装置と接続されるようにしてもよい。
【００１５】
本発明の無線装置は、本発明の信号分配装置と接続されることを特徴する。
【００１６】
また、本発明の無線装置において、光回線により信号分配装置と接続され、外部端末から信号を受信するアンテナ手段を有し、アンテナ手段から受信した信号を処理し、処理した信号を光回線を介して信号分配装置へ送信するようにしてもよい。
【００１７】
また、本発明において、同軸ケーブルにより信号分配装置と接続され、信号分配装置で処理された信号を同軸ケーブルを介して受信するようにしてもよい。
【００１８】
本発明の通信システムは、本発明の信号分配装置と、本発明の無線装置と、を備えることを特徴とする。
【発明の効果】
【００１９】
本発明によれば、異なる基地局システムをオーバーレイする場合において、アンテナとインターフェースを共用でき、投資コストとランニングコストを軽減することができる。
【発明を実施するための最良の形態】
【００２０】
以下、本発明を実施するための最良の形態について添付図面を参照して詳細に説明する。
【００２１】
本発明の通信システムの一実施形態を図４に示す。本実施形態の通信システムは、携帯電話機等の携帯端末７と通信を行うための移動体通信システムである。本実施形態の通信システムは、図４に示すように、２つの異なる基地局システムＡ、Ｂと、分離カード２０とを有して構成される。基地局システムＡは、基地局制御装置３と、張り出し無線装置１０とで構成される。また、基地局システムＢは、基地局制御装置４と、張り出し無線装置３０とで構成されている。
【００２２】
基地局システムＢにおいて、基地局制御装置４と、張り出し無線装置３０とは、光ケーブル１０３で接続されている。
【００２３】
分離カード２０は、同軸ケーブル１０２により張り出し無線装置３０と接続されており、光ケーブル１０１により基地局制御装置３と接続されている。また、分離カード２０は、光回線２００により張り出し無線装置１０と接続されている。
【００２４】
このような構成において、基地局システムＡ、Ｂの信号を、張り出し無線装置１０が備える１つのアンテナで受信する。次に、張り出し無線装置１０において、受信信号を光信号に変換した後、光回線１００で分離カード２０まで送信する。次に、分離カード２０において、光信号を電気信号に戻し、戻した電気信号を基地局システムＡ、Ｂへ送出する。すなわち、電気信号のうち、一方は、光ケーブル１０１を経由して基地局制御装置３へ送出され、他方は、同軸ケーブル１０２を経由して張り出し無線装置３０へ送出される。このように、基地局システムＡ、Ｂをオーバーレイする場合において、分離カードを用いることにより、アンテナとインターフェースを共用し、投資コストとランニングコストを抑える。
【００２５】
次に、図２を参照して、本発明の無線装置の一実施形態である張り出し無線装置１０について説明する。図２は、張り出し無線装置１０の構成を示すブロック図である。
【００２６】
図２に示すように、本実施形態の張り出し無線装置１０は、アンテナ部１１、受信アンプ（ＬＮＡ）１２、ＡＤコンバータ部１３、分離部１４、復調部１５、フィルタ１６、パラシリ変換部１７、フォーマット部１８、電気・光変換部１９、設定部５０を備える。
【００２７】
設定部５０は、基地局制御装置３から分離カード２０を介して送られてくる周波数（周波数情報。キャリア）と帯域（帯域情報）を、復調部１５とフィルタ１６に対して設定する。周波数（周波数情報）は復調部１５に設定され、帯域（帯域情報）はフィルタ１６に設定される。ここで設定される周波数と帯域は、基地局システムＡで使用される周波数と帯域である。アンテナ部１１は、移動端末７からの信号を受信する。ＬＮＡ１２は、アンテナ部１１からの信号を増幅する。ＡＤコンバータ部１３は、ＬＮＡ１２からのＲＦ信号をデジタル信号に変換する。分離部１４は、ＡＤコンバータ部１３からのデジタル信号をキャリア毎に４つに分配し、４つのキャリア信号にする。復調部１５は、分離部１４からの４つのキャリア信号を、設定部５０の設定に基づいてそれぞれ復調する。なお、復調部１５は、１５−１〜１５−４の４つである。フィルタ１６は、復調部１５からの４つの復調信号を、設定部５０の設定に基づいてそれぞれ帯域制限する。なお、フィルタ１６は、１６−１〜１６−４の４つである。パラシリ変換部１７は、フィルタ１６からの４つのパラレルの復調信号を１つにまとめて、シリアル信号にする。フォーマット部１８は、パラシリ変換部１７からのシリアル信号をインターフェースに沿ったフォーマットに変換する。電気・光変換部１９は、フォーマット部１８からの電気信号を光信号に変換する。
【００２８】
次に、図３を参照して、本発明の信号分配装置の一実施形態である分離カード２０について説明する。図３は、分離カード２０の構成を示すブロック図である。
【００２９】
図３に示すように、本実施形態の分離カード２０は、光・電気変換部２１、分離部２２、フォーマット部２３、電気・光変換部２４、変調部２５、合成部２６、ＤＡコンバータ部２７、アンプ部２８、設定部２９を備える。
【００３０】
設定部２９は、基地局制御装置３から送られてくる周波数（周波数情報）及び帯域（帯域情報）の少なくとも１つを、分離部２２、フォーマット部２３及び変調部２５に対して設定する。なお、設定部２９は、少なくとも、分離部２２に対してはシステムＡの周波数（キャリア）及びシステムＢの周波数（キャリア）を設定し、変調部２５に対してはシステムＢの周波数（キャリア）を設定する。光・電気変換部２１は、光回線１００を経由して張り出し無線装置１０から送られてくる光信号を入力し、電気信号に変換する。分離部２２は、設定部２９の設定に基づいて、光・電気変換部２１からの電気信号を、基地局システムＡの信号と、基地局システムＢの信号とに分離する。フォーマット部２３は、分離部２２で分離した基地局システムＡの信号の基地局システムＢのデータ部分に、（設定部２９の設定に基づいて）ダミー信号を付加してインターフェースに沿ったフォーマットに変換する。電気・光変換部２４は、フォーマット部２３からの基地局システムＡの信号を光信号に変換し、その光信号を基地局制御装置３へ出力する。変調部２５は、分離部２２で分離した基地局システムＢの信号を、設定部２９の設定に基づいてキャリア毎に変調する。なお、変調部２５は、２５−１〜２５−４の４つである。合成部２６は、変調部２５からの４つの変調信号を１つにまとめる。ＤＡコンバータ部２７は、合成部２６からのデジタル信号をＲＦ信号に変換する。アンプ部２８は、ＤＡコンバータ部２７からのＲＦ信号を増幅し、増幅した信号を張り出し無線装置３０へ出力する。
【００３１】
次に、図３を参照して、本発明の無線装置の一実施形態である張り出し無線装置３０について説明する。図３は、張り出し無線装置３０の構成を示すブロック図である。
【００３２】
図３に示すように、本実施形態の張り出し無線装置３０は、ＬＮＡ３２、ＡＤコンバータ部３３、分離部３４、復調部３５、フィルタ３６、パラシリ変換部３７、フォーマット部３８、電気・光変換部３９、設定部４０を備える。
【００３３】
設定部４０は、基地局制御装置４から送られてくる周波数（周波数情報）と帯域（帯域情報）を、復調部３５とフィルタ３６に対して設定する。周波数（周波数情報）は復調部３５に設定され、帯域（帯域情報）はフィルタ３６に設定される。ここで設定される周波数と帯域は、基地局システムＢで使用される周波数と帯域である。ＬＮＡ３２は、同軸ケーブル１０２を経由して分離カード２０から送られてくるＲＦ信号を入力し、入力したＲＦ信号を増幅する。ＡＤコンバータ部３３は、ＬＮＡ３２からのＲＦ信号をデジタル信号に変換する。分離部３４は、ＡＤコンバータ部３３からのデジタル信号をキャリア毎に４つに分配し、４つのキャリア信号にする。復調部３５は、分離部３４からの４つのキャリア信号を、設定部４０の設定に基づいてそれぞれ復調し、４つの復調信号にする。なお、復調部３５は、３５−１〜３５−４の４つである。フィルタ３６は、復調部３５からの４つの復調信号を、設定部４０の設定に基づいてそれぞれ帯域制限する。なお、フィルタ部３６は、３６−１〜３６−４の４つである。パラシリ変換部３７は、フィルタ３６からの４つのパラレルの復調信号を１つにまとめ、シリアル信号にする。フォーマット部３８は、パラシリ変換部３７からのシリアル信号をインターフェースに沿ったフォーマットに変換する。電気・光変換部３９は、フォーマット部３８からの電気信号を光信号に変換する。
【００３４】
図１〜３を参照して、本実施形態の通信システムにおける動作について詳細に説明する。
【００３５】
まず、図３に示す基地局システムＢの基地局制御装置４において、オペレータは、基地局システムＢで使用する周波数（キャリア）、帯域を設定する。基地局制御装置４は、張り出し無線装置３０に対し、光ケーブル１０３経由で、オペレータにより設定された周波数（周波数情報。キャリア情報）と帯域（帯域情報）を通知する。張り出し無線装置３０において、設定部４０は、復調部３５とフィルタ３６に対して、通知された基地局システムＢの周波数と帯域を設定する。
【００３６】
次に、オペレータは、基地局システムＡの基地局制御装置３において、基地局システムＢの周波数及び帯域と、システムＡの周波数及び帯域を設定する。基地局システムＡの周波数及び帯域としては、基地局システムＢで使用していない周波数、帯域が設定される。基地局制御装置３は、分離カード２０に対して、光ケーブル１０１経由で、基地局システムＡの周波数及び帯域と、システムＢの周波数及び帯域とを通知する。分離カード２０において、設定部２９は、分離部２２、フォーマット部２３及び変調部２５に対して、通知された基地局システムＡの周波数及び帯域と、システムＢの周波数及び帯域とを設定する。
【００３７】
さらに、分離カード２０（設定部２９）は、張り出し無線装置１０に対して、光回線１００経由で、基地局システムＡの周波数及び帯域を通知する。張り出し無線装置１０において、設定部５０は、復調部１５とファイルタ１６に対して、通知された基地局システムＡの周波数と帯域を設定する。
【００３８】
張り出し無線装置１０は、移動端末７からの信号を受信する。受信した信号は微弱である為、ＬＮＡ１２で増幅される。増幅された信号は、ＡＤコンバータ部１３によりＲＦ信号からデジタル信号に変換される。このデジタル信号は、分離部１４により４つに分配される。分配された４つの信号は、復調部１５により、設定された基地局システムＡの周波数毎に直交復調が行われる。復調された４つの信号は、フィルタ部１６により、設定された基地局システムＡの帯域で帯域制限される。帯域制限された４つの信号は、パラシリ変換部１７により１つに合成される。合成されたシリアル信号は、フォーマット部１８により、使用するインターフェース方式に従ったフォーマットに変換される。フォーマット化された信号は、電気・光変換部１９により、光信号に変換される。変換された光信号は、光回線１００に送出される。
【００３９】
分離カード２０は、光回線１００を経由した光信号を入力する。この光信号は、光・電気変換部２１により電気信号に変換される。変換された電気信号は、分離部２２により、設定された周波数（キャリア）毎に、基地局システムＡと基地局システムＢとに分離される。
【００４０】
分離された信号が基地局システムＡの信号である場合、フォーマット部２３により、基地局システムＢのデータ部分にダミーデータを付加されてインターフェースに沿ったフォーマットに変換される。変換されたその信号は、電気・光変換部２４により、光信号に変換され、基地局制御装置３に対して、光ケーブル１０１を経由して送出される。
【００４１】
一方、分離された信号が基地局システムＢの信号である場合、変調部２５により、キャリア毎に変調される。変調された信号は、合成部２６により１本にまとめられる。１本にまとめられた信号は、ＤＡコンバータ部２７によりデジタル信号からＲＦ信号に変換される。変換されたその信号は、アンプ部２８により増幅され、張り出し無線装置３０に対して、同軸ケーブル１０２を経由して送出される。なお、張り出し無線装置３０は、この信号を受信し、上述した張り出し無線装置１０における一連の信号処理と同様の処理を行った後、基地局制御装置４へ送出する。
【００４２】
以下、上記動作について、具体的な例を用いて説明する。この例では、基地局システムＡ（システムＡ）をＬＴＥシステム、基地局システムＢ（システムＢ）を３Ｇシステムとする。また、光インターフェースの規格をＣＰＲＩ（Common Public Radio Interface）とする。また、システムＡはｆ１とｆ２を使用し合わせて１０ＭＨｚ帯域を使用し、システムＢはｆ３、ｆ４を５ＭＨｚ帯域ずつ使用するとする。
【００４３】
オペレータは、基地局制御装置４において、システムＢのキャリア情報（ｆ３、ｆ４）と帯域情報（５ＭＨｚ）を設定する。これらの情報は、基地局制御装置４から送信され、張り出し無線装置３０の復調部３５とフィルタ部３６に設定される。
【００４４】
また、オペレータは、基地局制御装置３において、システムＢのキャリア情報と帯域情報、システムＡのキャリア情報（ｆ１＋ｆ２）と帯域情報（１０ＭＨｚ）を設定する。これらの情報は、基地局制御装置３から送信され、分離カード２０の分離部２２と変調部２５に設定される。また、これらの情報は、分離カード２０から送信され、張り出し無線装置１０の復調部１５とファイルタ部１６に設定される。なお、キャリア数が４に満たない場合は、必要な回路のみ設定される。
【００４５】
張り出し無線装置１０が移動端末７からの信号を受信する。この信号は、ＬＮＡ１２、ＡＤコンバータ部１３を経由し、分離部１４により４つに分配される。ここで、復調部１５は、１５−１〜１５−３の３つとする。復調部１５−１では１０ＭＨｚのＬＴＥの信号が復調され、復調部１５−２、１５−３では５ＭＨｚの３Ｇの信号が復調される。その後、復調された各信号に対して、フィルタ１６−１では１０ＭＨｚの帯域制限が行われ、フィルタ１６−２、１６−３では５ＭＨｚの帯域制限が行われる。帯域制限された３つの信号は、パラシリ変換部１７により１０ＭＨｚ、５ＭＨｚ、５ＭＨｚ（ｆ１＋ｆ２、ｆ３、ｆ４）の順に並べられ、フォーマット部１８によりＣＰＲＩインターフェースのフォーマットに変換される。フォーマット化された信号は、電気・光変換部１９により光信号に変換され、光回線１００経由で分離カード２０に入力される。
【００４６】
分離カード２０において、入力された光信号は、光・電気変換部２１により電気信号に変換され、分離部２２でキャリアｆ１＋ｆ２とｆ３、ｆ４に分離される。ここで、キャリアｆ１＋ｆ２はフォーマット部２３へ送出され、一方、キャリアｆ３とｆ４は変調部２５へ送出される。
【００４７】
キャリアｆ１＋ｆ２は、フォーマット部２３において、ｆ３、ｆ４にダミー信号が付加され、ＣＰＲＩフォーマットに再構築される。この信号は、電気・光変換部２４により光信号に変換されて、光ケーブル１０１を介して基地局制御装置３に送出される。これによって、上りの通信を行うことができる。
【００４８】
キャリアｆ３とｆ４は、変調部２５−１と２５−２においてキャリア毎に変調され、変調された各信号は、合成部２９により合成される。合成された信号は、ＤＡコンバータ部２７によりデジタル信号からＲＦ信号に変換され、アンプ部２８により増幅される。増幅された信号は、同軸ケーブル１０２経由で張り出し無線装置３０に送出される。これにより、ｆ３とｆ４の信号は、アンテナ部１１で受信したものとほぼ同一のものに戻ることになる。よって、この信号を、張り出し無線装置３０から基地局制御装置４に送出することによって、上りの通信を行うことができる。
【００４９】
以上説明したように、本実施形態によれば、異なる基地局システムをオーバーレイする場合に、分離カードを用いることにより、アンテナとインターフェース（光回線）を共用でき、投資コストとランニングコストを軽減することができる。また、分離カードを独立させて備える構成とすることにより、共用の回路を持たない張り出し無線装置同士を接続するだけでシステムの合成（オーバーレイ）を行うことができる。
【００５０】
なお、上記実施形態において、分離カード２０の変調部２５は、異なるシステムのオーバーレイを考えれば４つ持つ必要は無く、最大３つでもよい。
【００５１】
以上、本発明の実施形態について説明したが、上記実施形態に限定されるものではなく、その要旨を逸脱しない範囲において種々の変形が可能である。
【００５２】
例えば、上述した各実施形態における動作は、ハードウェア、または、ソフトウェア、あるいは、両者の複合構成によって実行することも可能である。
【００５３】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００５４】
例えば、プログラムは、記録媒体としてのハードディスクやＲＯＭ（Read Only Memory）に予め記録しておくことが可能である。あるいは、プログラムは、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００５５】
なお、プログラムは、上述したようなリムーバブル記録媒体からコンピュータにインストールする他、ダウンロードサイトから、コンピュータに無線転送してもよい。または、ＬＡＮ(Local Area Network)、インターネットといったネットワークを介して、コンピュータに有線で転送してもよい。コンピュータでは、転送されてきたプログラムを受信し、内蔵するハードディスク等の記録媒体にインストールすることが可能である。
【００５６】
また、上記実施形態で説明した処理動作に従って時系列的に実行されるのみならず、処理を実行する装置の処理能力、あるいは、必要に応じて並列的にあるいは個別に実行するように構築することも可能である。
【００５７】
また、上記実施形態で説明したシステムは、複数の装置の論理的集合構成にしたり、各装置の機能を混在させたりするように構築することも可能である。
【産業上の利用可能性】
【００５８】
本発明は、自動車、船舶、航空機等の移動体で異なるシステムをオーバーレイして使用する移動体通信システムなどに適用できる。
【図面の簡単な説明】
【００５９】
【図１】本発明の実施形態である通信システムの構成を模式的に示す図である。
【図２】本発明の実施形態である無線装置（アンテナ有り）の構成を示すブロック図である。
【図３】本発明の実施形態である信号分配装置及び無線装置（アンテナ無し）の構成を示すブロック図である。
【図４】本発明に関連する通信システムの構成を模式的に示す図である。
【図５】図４に示す通信システムを改善したオーバーレイ構成の一例（第１の例）を模式的に示す図である。
【図６】図４に示す通信システムを改善したオーバーレイ構成の一例（第２の例）を模式的に示す図である。
【符号の説明】
【００６０】
３    基地局システムＡの基地局制御装置（第１の制御装置）
４    基地局システムＢの基地局制御装置（第２の制御装置）
５、１１    アンテナ部
６    アンプ分配装置
７    移動端末（外部端末）
１０    基地局システムＡの張り出し無線装置（第１の無線装置）
１２、３２    受信アンプ（ＬＮＡ）
１３、３３    ＡＤコンバータ部
１４、２２、３４    分離部
１５、１５−１〜１５−４、３５、３５−１〜３５−４    復調部
１６、１６−１〜１６−４、３６、３６−１〜３６−４    フィルタ
１７、３７    パラシリ変換部
１８、２３、３８    フォーマット部
１９、２４、３９    電気・光変換部
２０    分離カード（信号分配装置）
２１    光・電気変換部
２５、２５−１〜２５−４    変調部
２６    合成部
２７    ＤＡコンバータ部
２８    アンプ部
２９、４０、５０    設定部
３０    基地局システムＢの張り出し無線装置（第２の無線装置）
１００    光回線
１０１、１０３、１０４、１０５    光ケーブル
１０２    同軸ケーブル
【図１】
0005157550.tif 000002
【図２】
0005157550.tif 000003
【図３】
0005157550.tif 000004
【図４】
0005157550.tif 000005
【図５】
0005157550.tif 000006
【図６】
0005157550.tif 000007